(57)【要約】      （修正有）【課題】簡素な構造で低廉に製作できると共に、射撃場等にて土壌より鉛弾丸を再利用可能な程度にまで分別できる鉛弾丸分別装置を提供する。【解決手段】鉛弾丸分別装置１は、鉛弾丸を含んだ土壌を上方より投入するメッシュ配置体２と、メッシュ配置体２を水平方向に往復動可能に支持する支持部３とを備えた第１鉛弾丸分別手段４と、第１鉛弾丸分別手段４を通過し土壌が付着した鉛弾丸を投入する投入口と、投入口より落下する鉛弾丸から風力によって土壌を除去する風力発生部とを備えた第２鉛弾丸分別手段とを有している。【選択図】図１
0003129829.tif 000002
【実用新案登録請求の範囲】
【請求項１】
鉛弾丸を含んだ土壌を上方より投入するメッシュ配置体と、該メッシュ配置体を水平方向に往復動可能に支持する支持部とを備えた第１鉛弾丸分別手段と、
該第１鉛弾丸分別手段を通過し土壌が付着した鉛弾丸を投入する投入口と、該投入口より落下する鉛弾丸から風力によって土壌を除去する風力発生部とを備えた第２鉛弾丸分別手段とを有することを特徴とする鉛弾丸分別装置。
【請求項２】
前記第１鉛弾丸分別手段の前記メッシュ配置体は、上部に配した第１メッシュ配置体と、該第１メッシュ配置体の下方に設けられ該第１メッシュ配置体に張設された第１メッシュより目が細かい第２メッシュを張設した第２メッシュ配置体とを有している請求項１に記載の鉛弾丸分別装置。
【請求項３】
前記第１鉛弾丸分別手段の前記支持部は、前記メッシュ配置体を水平方向に往復動可能とする複数のローラーを有し、前記メッシュ配置体は前記ローラー上に載置されている請求項１または２に記載に鉛弾丸分別装置。
【請求項４】
前記ローラーと当接する前記メッシュ配置体の下部には、複数の凹部を有した当接体が設けられている請求項３に記載の鉛弾丸分別装置。
【考案の詳細な説明】
【技術分野】
【０００１】
本考案は、射撃場の土壌より鉛弾丸を分別する際に使用して好適な鉛弾丸分別装置に関するものである。
【背景技術】
【０００２】
従来より、射撃場において散弾銃より発せられた鉛弾丸により、土壌中に鉛が浸出し、土壌環境を汚染することが懸案となっている。
現在、多くの射撃場は、鉛弾丸を含む土壌を掘削して処理業者に委託しているのが現状である。
【０００３】
しかし、この方法では、鉛弾丸を含む大量の土壌を搬送することが必要となり、また、安全管理された処理場に埋設等して処理するため、高額の処理費用を要した。
【考案の開示】
【考案が解決しようとする課題】
【０００４】
そこで、本考案の課題は、簡素な構造で低廉に製作できると共に、射撃場等にて土壌より鉛弾丸を再利用可能な程度にまで分別できる鉛弾丸分別装置を提供することにある。
【課題を解決するための手段】
【０００５】
上記課題を解決するものは、鉛弾丸を含んだ土壌を上方より投入するメッシュ配置体と、該メッシュ配置体を水平方向に往復動可能に支持する支持部とを備えた第１鉛弾丸分別手段と、該第１鉛弾丸分別手段を通過し土壌が付着した鉛弾丸を投入する投入口と、該投入口より落下する鉛弾丸から風力によって土壌を除去する風力発生部とを備えた第２鉛弾丸分別手段とを有することを特徴とする鉛弾丸分別装置である。
【０００６】
前記第１鉛弾丸分別手段の前記メッシュ配置体は、上部に配した第１メッシュ配置体と、該第１メッシュ配置体の下方に設けられ該第１メッシュ配置体に張設された第１メッシュより目が細かい第２メッシュを張設した第２メッシュ配置体とを有していることが好ましい。前記第１鉛弾丸分別手段の前記支持部は、前記メッシュ配置体を水平方向に往復動可能とする複数のローラーを有し、前記メッシュ配置体は前記ローラー上に載置されていることが好ましい。前記ローラーと当接する前記メッシュ配置体の下部には、複数の凹部を有した当接体が設けられていることが好ましい。
【考案の効果】
【０００７】
請求項１に記載の考案によれば、簡素な構造で低廉に製作できると共に、射撃場等にて土壌より鉛弾丸を再利用可能な程度にまで分別できる。
請求項２に記載の考案によれば、第１メッシュ配置体の目の粗いメッシュで振るいにかけた後、それを通過したものを第２メッシュ配置体の目の細かいメッシュで分別することで、より効率的に鉛弾丸を分別できる。
請求項３に記載の考案によれば、簡素な構造で、メッシュ配置体を揺動させることができ、より効率的に鉛弾丸を分別できる。
請求項４に記載の考案によれば、メッシュ配置体が水平方向の往復動する際に、ローラーが凹部に出入して上下方向の振動が加えられるため、より効率的に鉛弾丸を分別できる。
【考案を実施するための最良の形態】
【０００８】
鉛弾丸の分別を、鉛弾丸を含んだ土壌を投入するメッシュ配置体を水平方向に往復動可能な第１鉛弾丸分別手段と、第１鉛弾丸分別手段を通過した鉛弾丸を含んだ土壌を風力により鉛弾丸と鉛弾丸以外とに分別する風力発生部を備えた第２鉛弾丸分別手段とにより実現した。
【実施例１】
【０００９】
図１は本考案の鉛弾丸分別装置の一実施例における第１鉛弾丸分別手段の正面概略図であり、図２は図１に示した第１鉛弾丸分別手段の左側面図であり、図３は図１に示した第１鉛弾丸分別手段の平面図であり、図４は図１に示した第１鉛弾丸分別手段の分解正面図であり、図５は図１に示した第１鉛弾丸分別手段の第２メッシュ配置体の拡大底面図であり、図６は本考案の鉛弾丸分別装置の一実施例における第２鉛弾丸分別手段の正面概略図であり、図７は図６に示した第２鉛弾丸分別手段の右側面図である。
【００１０】
この実施例の鉛弾丸分別装置１は、鉛弾丸を含んだ土壌を上方より投入するメッシュ配置体２と、メッシュ配置体２を水平方向に往復動可能に支持する支持部３とを備えた第１鉛弾丸分別手段４と、第１鉛弾丸分別手段４を通過し土壌が付着した鉛弾丸を投入する投入口と、該投入口より落下する鉛弾丸から風力によって土壌を除去する風力発生部６とを備えた第２鉛弾丸分別手段７とを有している。以下、各構成について順次詳述する。
【００１１】
第１鉛弾丸分別手段４は、鉛弾丸を含んだ土壌を、まず振るいにかけ、土壌が付着した鉛弾丸とそれ以外に分別するための装置である。具体的には、この実施例の第１鉛弾丸分別手段４は、図１または図４に示すように、鉛弾丸を含んだ土壌を上方より投入する第１メッシュ配置体２Ａと、第２メッシュ配置体２Ｂと、それらを支持する支持部３とを有している。
【００１２】
第１メッシュ配置体２Ａは、図３または図４に示すように、矩形の枠体８と、枠体８に張設された第１メッシュ９と、枠体８の下部四方にそれぞれ配され、下方に配される第２メッシュ配置体２Ｂと一体化するための嵌合用凹部１０と、枠体８の長手方向の両側にそれぞれ設けられた把持部８ａとを有している。なお、この実施例の第１メッシュ９は、網目が４．３ｍｍに形成されている。
【００１３】
第２メッシュ配置体２Ｂは、図４または図５に示すように、矩形の枠体１１と、枠体１１に張設された第２メッシュ１２と、枠体１１の上部四方にそれぞれ配され上方に配される第１メッシュ配置体Ａと一体化するための嵌合用凸部１３と、長手方向の両側にそれぞれ設けられた把手部１４を有している。なお、この実施例の第２メッシュ１２は、網目が２．８ｍｍに形成されている。
【００１４】
支持部３は、第１メッシュ配置体２Ａ，第２メッシュ配置体２Ｂを水平方向に往復動可能に支持するものであり、図１または図２に示すように、土壌が付着した鉛弾丸を排出するための排出口１５を備えた本体部１６と、本体部１６を四方で支持するための立脚部１７と、本体部１６の上方開口内において長手方向に直交する方向に回動可能に複数配されたローラー１８とを有している。
【００１５】
そして、第１メッシュ配置体２Ａ，第２メッシュ配置体２Ｂは、嵌合用凹部１０および嵌合用凸部１３にて連結されて一体化された状態で、ローラー１８上に載置されており、支持部３に対して相対的に水平方向へ往復動可能に構成されている。
【００１６】
より具体的には、この第１鉛弾丸分別手段４にて、鉛弾丸を含んだ土壌から土壌が若干付着した鉛弾丸を取り出すには、まず、図１に示した状態の第１鉛弾丸分別手段４の上方より、第１メッシュ配置体２Ａに鉛弾丸を含んだ土壌を投入する。つぎに、第２メッシュ配置体２Ｂの把手部１４を二人で把手して図３に示す矢印方向（長手方向）に往復動させる。
【００１７】
この時、第２メッシュ配置体２Ｂはローラー１８上を往復動（揺動）し、鉛弾丸を含んだ土壌のうち、第１メッシュ配置体２Ａの第１メッシュ９を通過できるものは第２メッシュ配置体２Ｂの第２メッシュ１２に落下して、他方、第１メッシュ９を通過できない大きさのものは第１メッシュ９上に残存する。なお、第１メッシュ９上に残存したものは、後に把持部８ｂを把持して第１メッシュ９上より除去することができる。
【００１８】
そして、第２メッシュ１２上に落下したものは、第１メッシュ９より目が細かい第２メッシュ１２により、さらに分別される。なお、第２メッシュ配置体２Ｂの枠体１１の長手方向に延在する部位の裏面（底面）側には、図５に示すように、ローラー１８が出入り可能に設けられた複数の凹部１９ａを備えた当接体（長尺状弾性体）１９が貼着されている。このため、第１メッシュ配置体２Ａおよび第２メッシュ配置体２Ｂが水平方向の往復動する際に、ローラー１８が凹部１９ａに出入して、第１メッシュ配置体２Ａおよび第２メッシュ配置体２Ｂの水平方向への往復動に加えて上下方向の振動が加えられる。このような上下左右の揺動により、より効率的に鉛弾丸が分別されるように構成されている。また、第２メッシュ１２上に残存したものは、後に把手部１４を把手して第２メッシュ１２上より除去することができる。
【００１９】
他方、鉛弾丸を含んだ土壌のうち、第２メッシュ配置体２Ｂの第２メッシュ１２を通過したもの（土壌が若干付着した鉛弾丸）は、支持部３の本体部１６の上端開口より本体部１６内部を通過して排出口１５より排出される。
【００２０】
そして、第２鉛弾丸分別手段７は、上述した第１鉛弾丸分別手段４を通過し、土壌が付着した鉛弾丸から風力によって付着した土壌を除去するための装置であり、図６または図７に示すように、土壌が付着した鉛弾丸を投入する投入口５と、投入口５の下部に設けられ側方より落下する鉛弾丸に風を当てる部位である本体部２０と、本体部２０の下部に設けられた鉛弾丸排出部２１と、本体部２０の側方に配置され風力により鉛弾丸に付着した土壌を除去する風力発生部６と、本体部２０の他側方に設けられ風力発生部６に対向する位置に設けられた土壌排出用開口部２２とを有している。以下、各構成について順次詳述する。
【００２１】
投入口５は、土壌が付着した鉛弾丸を投入する部位であり、本体部２０の上部に設けられ上端が開口したホッパーにて構成されている。ホッパーの下部には、開閉レバー２３により開閉自在な開閉体（図示しない）が取り付けられており、土壌が付着した鉛弾丸を投入する際には、開閉レバー２３を図６中矢印のように回動して開閉体を閉じた状態とし、土壌の除去に際しては、開閉体を開いて土壌が付着した鉛弾丸を下方本体部内に落下させるように構成されている。
【００２２】
本体部２０は、図７に示すように、内部が空洞に形成されており、本体部２０の下部には鉛弾丸排出部２１が設けられている。また、本体部２０の側方には、本体部２０内部に落下する土壌付き鉛弾丸に風を当てるための風力発生部６が取り付けられており、これによって発生する風に土壌付き鉛弾丸が曝されると、軽い土壌が鉛弾丸から分離して本体部２０の他側方に設けられた土壌排出用開口部２２から外部に排出される。他方、重い鉛弾丸は本体部２０の下方に落下して鉛弾丸排出部２１から外部に排出される。
【００２３】
より具体的には、風力発生部６としては大型の業務用扇風機が使用されており、段階的に風力を調整できるスイッチ２４を押圧すると、水平方向に土壌排出用開口部２２側へ向かって風が発生する。この時、投入口５から土壌が付着した鉛弾丸が落下してくると、土壌は吹き飛んで土壌排出用開口部２２から排出され、鉛弾丸は土壌が除去された状態で鉛弾丸排出部２１から排出されるように構成されている。鉛弾丸排出部２１から排出される鉛弾丸は再利用可能な程度に土壌より分別されており、鉛業者等にも売買可能である。
【００２４】
このように、本考案の鉛弾丸分別装置は、分別手段の異なる第１鉛弾丸分別手段と第２鉛弾丸分別手段とを連続的に配することで、簡素な構造で低廉に製作できると共に、射撃場等にて土壌より鉛弾丸を再利用可能な程度にまで分別でき、高額な鉛処理費用が不要となり、鉛を業者に売買して収益を上げることもできる。
【００２５】
なお、この実施例の鉛弾丸分別装置１は、第１鉛弾丸分別手段４と第２鉛弾丸分別手段７が別装置にて構成されているが、これに限定されるものではなく、第１鉛弾丸分別手段４を第２鉛弾丸分別手段７の上方に配して一体的な装置としたものも、本考案の範疇に包含される。また、この実施例の鉛弾丸分別装置１は、装置価格をより低廉なのとするために、第１鉛弾丸分別手段４のメッシュ配置体２の往復動が手動式となっているが、駆動手段を設けて自動化したものも本考案の範疇に包含される。さらに、この実施例の鉛弾丸分別装置１は、第２メッシュ配置体２Ｂが両側に把手部１４を有し、二人で往復動させるものであるが、例えば第２メッシュ配置体２Ｂが片側のみに把手部１４を設け、一人で往復動させるものも本考案の範疇に包含される。
【図面の簡単な説明】
【００２６】
【図１】本考案の鉛弾丸分別装置の一実施例における第１鉛弾丸分別手段の正面概略図である。
【図２】図１に示した第１鉛弾丸分別手段の左側面図である。
【図３】図１に示した第１鉛弾丸分別手段の平面図である。
【図４】図１に示した第１鉛弾丸分別手段の分解正面図である。
【図５】図１に示した第１鉛弾丸分別手段の第２メッシュ配置体の拡大底面図である。
【図６】本考案の鉛弾丸分別装置の一実施例における第２鉛弾丸分別手段の正面概略図である
【図７】図６に示した第２鉛弾丸分別手段の右側面図である。
【符号の説明】
【００２７】
１    鉛弾丸分別装置
２    メッシュ配置体
２Ａ  第１メッシュ配置体
２Ｂ  第２メッシュ配置体
３    支持部
４    第１鉛弾丸分別手段
５    投入口
６    風力発生部
７    第２鉛弾丸分別手段
８ａ  把持部
８    枠体
９    第１メッシュ
１０  嵌合用凹部
１１  枠体
１２  第２メッシュ
１３  嵌合用凸部
１４  把手部
１５  排出口
１６  本体部
１７  立脚部
１８  ローラー
１９ａ  凹部
１９  当接体
２０  本体部
２１  鉛弾丸排出部
２２  土壌排出用開口部
２３  開閉レバー
２４  スイッチ
【図１】
0003129829.tif 000003
【図２】
0003129829.tif 000004
【図３】
0003129829.tif 000005
【図４】
0003129829.tif 000006
【図５】
0003129829.tif 000007
【図６】
0003129829.tif 000008
【図７】
0003129829.tif 000009